(57)【特許請求の範囲】
【請求項１】
筆記用のペン芯を軸筒の先端に設けた筆記具において、
ペン芯と軸筒との間に可撓性の薄膜体を設けて、当該薄膜体によって当該ペン芯を当該軸筒に固定すると共に、筆記具がインクタンクからインクを流し出すバルブを設けたものであり、
ペン芯が押圧されると薄膜体が変形して前記軸筒に対してペン芯が移動し、当該ペン芯の移動によって当該バルブを開閉するバルブ式であることを特徴とする筆記具。
【発明の詳細な説明】
【技術分野】
【０００１】
本発明は、多孔体等のペン芯を有する筆記具に関する。
【背景技術】
【０００２】
多孔体等からなるペン先（ペン芯）の軸筒への固定に関しては、以下の特許文献１〜４が挙げられる。
【０００３】
特許文献１には、ペン芯をペン軸本体にリング状部材によって取付けた筆記具が開示されている。
【０００４】
特許文献２には、ペン芯の環状凹部に、ホルダーの環状凸部よりなる前側取付け部が係合される筆記具が開示されている。
【０００５】
特許文献３には、先軸内の環状凸部をペン芯外周の環状凹部に係合して固定する筆記具が開示されている。
【０００６】
なお、特許文献４には、ペン芯を固定するのに先軸内に装着されているが、先軸後部にペン先へのインクを一時保留するインク保溜部に枚様体を用いている。
【先行技術文献】
【特許文献】
【０００７】
【特許文献１】特開平６−５５８９０号公報
【特許文献２】特開２０１２−９１４７１号公報
【特許文献３】実開昭６２−１８９１８２号公報
【特許文献４】特開平１０−５８８８６号公報
【発明の概要】
【発明が解決しようとする課題】
【０００８】
特許文献１〜３は、何れも固定のためにペン芯の外周を加工して軸筒に固定する必要があり、筆記先端へのインク塗布への影響を与えるおそれがある。
【０００９】
また、ペン芯が前後に摺動するバルブ式の筆記具である場合、ペン芯を摺動させることができない。また、ペン芯が摩耗した際に交換することが困難である。
なお、特許文献４では、枚葉体にフィルムが用いられているが、このフィルムにはペン芯を固定する作用は無い。
【００１０】
そこで、本発明は、バルブ機構の開放のためのペン芯前後動作（ポンピング動作）や、ペン芯交換作業時への悪影響が無い構造の筆記具を提供することを課題とする。
【課題を解決するための手段】
【００１１】
本発明は、筆記用のペン芯を軸筒の先端に設けた筆記具において、
ペン芯と軸筒との間に可撓性の薄膜体を設けて、当該薄膜体によって当該ペン芯を当該軸筒に固定することを特徴とする筆記具である。
【００１２】
本発明においては、筆記具がインクタンクからインクを流し出すバルブ（弁機構）を設けたものであり、ペン芯が押圧されると薄膜体が変形して前記軸筒に対してペン芯が移動し、当該ペン芯の移動によって当該バルブを開閉するバルブ式であることが好適である。
【００１３】
本発明においては、前記薄膜体は略円環状に形成し、厚さ１００〜５００μｍ（０．１〜０．５ｍｍ）であることが好適である。
【００１４】
なお、本発明において、前記薄膜体とバルブの間には、弾性変形可能なインク保留体が配置されており、前記ペン芯が押圧されると前記薄膜体を介して前記インク保留体が押圧されて、薄膜と共にインク保留体が弾性変形するようになっていることが好適である。
【００１５】
本発明では、従来の筆記具に例えば円環状に形成された抜け止めの薄膜体（フィルム）を追加し、その薄膜体（フィルム）にペン先を通すことでペン先を抜けにくくすることができるようにできる。ペン先が抜ける時に非常に軽い力では抜けないよう、薄膜体（フィルム）との接触で抵抗力を持たせることができる。また、薄膜体（フィルム）自体が低荷重で撓む構造である。
【発明の効果】
【００１６】
本発明によれば、ペン芯と軸筒との間に可撓性の薄膜体を設けて、当該薄膜体によって当該ペン芯を当該軸筒に固定した筆記具であるので、当該ペン芯がバルブ開放のために前後に動くことができ、薄膜体（フィルム）によってシールされるため、バルブからの液漏れをすること無く、ペン芯が傷んだ場合などにペン芯の交換を行う際も古いペン芯を適宜な力で引き抜くことができ、新しいペン芯を定位置に差し込むことができる。
【図面の簡単な説明】
【００１７】
【図１】第１実施形態に係る細字用筆記具の説明図であり、（ａ）〜（ｅ）が当該筆記具内の薄膜体の第１実施例〜第５実施例の説明図、（ｆ）がペン芯の説明図、（ｇ）がその筆記具の全体断面視図である。
【図２】第２実施形態に係る太字用筆記具の説明図であり、（ａ）〜（ｃ）が当該筆記具内の薄膜体の第６実施例〜第８実施例の説明図、（ｄ）がその筆記具の正面視図、（ｅ）が全体断面視図である。
【発明を実施するための形態】
【００１８】
以下図面を参照して本発明の実施形態を説明する。
【００１９】
図１は、第１実施形態に係る細字用筆記具を示す。図１の（ａ）〜（ｅ）は各実施例に係る薄膜体２２Ａ〜２２Ｅを示し、（ｆ）がペン芯１０を、（ｇ）が筆記具の全体構成を示す。
【００２０】
図１の（ｇ）に示すように、第１実施形態に係る筆記具は、筆記用のペン芯１０を軸筒１２の先端（先軸１４）に設けたマーキングペンである。
【００２１】
ペン芯１０は先軸１４内で前後動可能に支持されている（先軸１４内周のリブで摺動可能に支持される）。ペン芯１０の後部周囲には円環状にインク保留体１６が配設される。ペン芯１０の後方には、バルブ機構（バルブに相当）１８が設けられる。バルブ機構１８は弁体１８ａが軸筒１２内に開口した弁本体１８ｄ内に進退動可能に配置されている。弁体１８ａが先方向きにスプリング１８ｃで付勢されて、弁体１８ａが弁座１８ｂの後端に当接して閉状態になる。ペン芯１０の先端を塗布面などに押圧すると当該ペン芯１０を介して弁体１８ａが後方に移動し、弁体１８ａと弁座１８ｂとの間が開状態になりインクが前記ペン芯１０に供給される。
【００２２】
軸筒１２の本体１２ａが内部空間あるインクタンクを構成し、それに内蔵するインクを前記バルブ機構１８の開・閉でペン芯１０にインクを導出・非導出する。本体内には、攪拌ボール１２ｂが装填されインクの沈降物を攪拌できるようになっている。
【００２３】
前記本体１２ａ先端の口元にバルブ機構１８の弁座１８ｂの前方にインク保留体１６を挟んでそれらの中心孔内にペン芯１０を挿入して、先軸１４で覆い、先軸１４を本体に螺着又は嵌合で前記本体１２ａに固定する。
【００２４】
ここで、ペン芯１０と先軸１４（軸筒１２の先端部であり、そのほかの位置でも良い）との間に可撓性の薄膜体（フィルムでも良い）２２を設けて、当該薄膜体２２によって当該ペン芯１０を当該軸筒１２に抜け止めする。
【００２５】
本実施形態においては、筆記具が軸筒１２の本体１２ａ内のインクタンクからインクを流し出すバルブ機構１８を設けたものであり、ペン芯１０が押圧されると薄膜体２２が変形して前記軸筒１２に対してペン芯１０が移動し、当該ペン芯１０の移動によって当該バルブ機構１８を開閉するバルブ式のものである。
【００２６】
ペン芯１０は、第１実施形態では、細字用のものであり、寸法が太さφ２．０〜φ４．０ｍｍ、長さ１８．０〜２５．０ｍｍである。
【００２７】
また、前記薄膜体２２は略円環状に形成し、厚さ１００〜５００μｍ（０．１〜０．５ｍｍ）であることが好適である。
【００２８】
そして、例えば既存のバルブ式の筆記具に円環状に形成された抜け止めの薄膜体（フィルム）２２を追加し、その薄膜体（フィルム）にペン芯１０を通すことでペン芯１０を抜けにくくするものである。ペン芯１０が抜ける時に非常に軽い力では抜けないよう、薄膜体（フィルム）２２との接触で抵抗力を持たせることができる。また、薄膜体（フィルム）２２自体が低荷重で撓む構造である。荷重は０．２〜２．０Ｎが好ましい。
【００２９】
薄膜体２２は、図１（ｇ）に示すように筆記具の軸筒１２内（先軸１４内）に収容されている。当該薄膜体２２は、その外周と先軸１４内面との間に隙間が形成され、前後に摺動可能な配置となっている（先軸１４内に圧入としても良い）。
【００３０】
また、薄膜体２２はプラスチック成形品からなり、厚さ１００〜５００μｍ、好ましくは１５０〜３００μｍが望ましい。具体的には、薄膜体２２は、ポリプロピレンやポリエチレン、ポリエステル等の樹脂材を選択でき、柔軟に撓む厚みであることが好ましい。
【００３１】
また、薄膜体はペン芯の保持領域はペン芯外周の８０〜９５％程度の保持が望ましい。
【００３２】
前記インク保留体１６は柔軟な弾性のある多孔質体やスポンジ状体である。材質としては、ウレタン、ポリエチレン等の樹脂材を選択できる。
【００３３】
前記ペン芯１０は、棒状の繊維束の樹脂加工体、又は多孔質体からなる。材質としては、アクリル、ポリエステル、ナイロン等を選択できる。
【００３４】
実施形態のペン芯１０は図１（ｆ）に示すように、棒状の後部周面が段状に凹んだ係止凹部１０ａが形成されている。薄膜体２２は、一部の開放した或いは閉鎖した概略円形であり、内側部分を前記凹部１０ａに引っかけてペン芯１０が先軸１４から前後動可能でかつ抜け出ない構造になっている。
【００３５】
第１実施形態に係る筆記具では、ペン芯１０と軸筒１２との間に可撓性の薄膜体２２を設けて、当該薄膜体２２は、凹部１０ａに嵌りこんでいるとともに、薄膜体２２とペン芯１０は前後動可能になっている。よって、当該ペン芯１０がバルブ機構１８のバルブ開放のために前後に動くことができる。また、ペン芯１０が傷んだ場合などにペン芯１０の交換を行う際も古いペン芯１０を適宜な力で引き抜くことができ、新しいペン芯１０を定位置に容易に差し込むことができる。
【００３６】
ここで、薄膜体２２の各例である第１実施例〜第５実施例を図１（ａ）〜（ｅ）に示す。
【００３７】
第１実施例に係る薄膜体２２（２２Ａ）は、図１（ａ）に示すように、中央部の孔が矩形であり、一部が外径方向に解放した概略Ｃ字状の構造のものである。内側の孔（ペン芯挿通孔）に面する解放口２２Ａ１の幅が狭くなっており、その解放口２２Ａ１のコーナー部２２Ａ２が前記凹部１０ａに引っかかり、抜け止めする。
【００３８】
第２実施例に係る薄膜体２２（２２Ｂ）は、図１（ｂ）に示すように、中央部の孔が矩形であり、一部が外径方向に解放した概略Ｃ字状の構造のものである。内側の孔（ペン芯挿通孔）から解放口２２Ｂ１が開いている。その解放口２２Ｂ１が第１実施例の解放口２２Ａ１よりも広く、その解放口２２Ｂ１に面していない内周面２２Ｂ２の幅が狭くなっており、前記ペン芯１０の凹部１０ａに引っかかり、抜け止めする。
【００３９】
第３実施例に係る薄膜体２２（２２Ｃ）は、図１（ｃ）に示すように、中央部の孔は概略円形であり、中央部に向けて３つの弁状の突部２２Ｃ１が突出し、突部２２Ｃ１の先端部の内周径が前記ペン芯１０の凹部１０ａ外周径に近似（やや大径又は小径でも良い）して引っかかるように形成されている。
【００４０】
第４実施例に係る薄膜体２２（２２Ｄ）は、図１（ｄ）に示すように、中央部の孔は概略円形であり、中央部に向けて２つの弁状の突部２２Ｄ１が突出し、突部２２Ｄ１の先端部の内周径が前記ペン芯１０の凹部１０ａ外周径に近似（やや大径又は小径でも良い）して引っかかるように形成されている。第４実施例に係る薄膜体２２Ｄでは、２つの弁状の突部２２Ｄ１が突出しているので空間があり、第３実施例に係る薄膜体２２よりもペン芯１０を挿通しやすく作業性が高い。
【００４１】
第５実施例に係る薄膜体２２（２２Ｅ）は、図１（ｅ）に示すように、中央部の孔は概略円形であり、中央部に向けて２つの弁状の突部２２Ｅ１が突出し、突部２２Ｅ１の先端部の内周径が前記ペン芯１０の凹部１０ａ外周径に近似（やや大径又は小径でも良い）して引っかかるように形成されている。第５実施例に係る薄膜体２２Ｅでは、２つの弁状の突部２２Ｅ１が形成されていない部分２２Ｅ２の内周部がやや突出し、第４実施例に係る薄膜体２２よりも薄膜体の強度が上がり、弾性変形の際に割れにくくなる。
【００４２】
次に、本発明の第２実施形態に係る筆記具について説明する。
【００４３】
図２は第２実施形態に係る太字用筆記具である。
【００４４】
第２実施形態に係る筆記具は、図２（ｄ）、（ｅ）に示すように、ペン芯が第１実施形態よりも太くした太字用のマーキングペンである。なお、以下及び図２では、図１の第１実施形態に係る筆記具と同様部分に同一符号を付している。
【００４５】
ペン芯１０は、太字用のものであり、寸法は太さφ６．０〜φ９．０ｍｍ、長さ２５〜３０ｍｍである。
【００４６】
また、前記ペン芯１０は先端部が斜めに削られて細くなって形状であるが、第１実施形態の凹部１０ａの有るペン芯１０とは異なり、中央部から後端部に同じ外径で円柱状に形成されている。
【００４７】
上記ペン芯１０が挿通する薄膜体２２は、ペン芯１０に挿通させた状態で当該ペン芯１０の外周面に食い込ませて係止又は固定し、その状態で先軸１４内に前後動可能に装着されている。
【００４８】
図２（ａ）〜（ｃ）は、薄膜体２２の第６実施例〜第８実施例を示す。
【００４９】
第６実施例に係る薄膜体２２（２２Ｆ）は、図２（ａ）に示すように、中央部の孔がほぼ楕円形であり、一部の開放口２２Ｆ１が外径方向に解放した概略Ｃ字状の構造のものである。この薄膜体２２Ｆにおいては、内側の孔（ペン芯挿通孔）に面する解放口２２Ｆ１の幅が狭くなっている。前記解放口２２Ｆ１奥側の対向部２２Ｆ３がペン芯１０に向けて膨出している。前記解放口２２Ｆ１を挟む内側の両コーナー部２２Ｆ２と前記奥側の対向部２２Ｆ３が前記ペン芯１０に径方向から（３箇所）食い込み、当該ペン芯１０を抜け止めする。
【００５０】
第７実施例に係る薄膜体２２（２２Ｇ）は、図２（ｂ）に示すように、中央部の孔が矩形であり、一部が外径方向に解放した概略Ｃ字状の構造のものである。内側の孔（ペン芯挿通孔）から解放口２２Ｇ１が開いている。その解放口２２Ｇ１が第６実施例の解放口２２Ｆ１よりも広く、その解放口２２Ｇ１に面していない内周面２２Ｇ２の幅が狭くなっており、前記ペン芯１０の外周に引っかかり、抜け止めする。
【００５１】
第８実施例に係る薄膜体２２（２２Ｈ）は、図２（ｃ）に示すように、中央部の孔は概略円形であり、中央部に向けて３つの弁状の突部２２Ｈ１が突出し、突部２２Ｈ１の先端部の内周径が前記ペン芯１０の外周径に近似（やや小径が好ましい）して引っかかるように形成されている。
【産業上の利用可能性】
【００５２】
本発明の筆記具は、現場や事業所内で部品や製品にマーキングするマーキングペンとして利用することができる。
【符号の説明】
【００５３】
１０  ペン芯
１２  軸筒
１４  先軸
１８  バルブ機構
２２（２２Ａ〜２２Ｈ）  薄膜体
【図１】
0006549415.tif 000002
【図２】
0006549415.tif 000003